(57)【要約】【課題】映像ソースを入力する際の入力信号が異常な場合であっても、無駄な表示領域を有効活用するとともに利用者にとって見易い画面を表示すること。【解決手段】ディスプレイの表示領域に複数の映像ソースを表示する映像表示装置は、ディスプレイの複数の表示領域に対してそれぞれ入力される映像ソースを映像表示装置が取得し、取得された映像ソースに含まれる信号の異常を映像表示装置が検知し、複数の映像ソースのうち少なくとも一つの映像ソースの異常が検知されたならば、映像表示装置が正常な映像ソースの表示領域を移動させて表示するように構成する。【選択図】図２
2012073395.tif 000002
【特許請求の範囲】
【請求項１】
ディスプレイの表示領域に複数の映像ソースを表示する映像表示装置であって、
前記ディスプレイの複数の表示領域に対してそれぞれ入力される映像ソースを取得する映像ソース取得手段と、
前記映像ソース取得手段によって取得された前記映像ソースに含まれる信号の異常を検知する異常検知手段と、
前記異常検知手段によって前記複数の映像ソースのうち少なくとも一つの前記映像ソースの異常が検知されたならば、正常な前記映像ソースの前記表示領域を移動させて表示する表示制御手段と
を備えたことを特徴とする映像表示装置。
【請求項２】
前記表示制御手段による移動後の前記映像ソースの前記表示領域と移動前の前記表示領域とに基づいて前記移動後の前記正常な映像ソースの拡大率を判定する拡大率判定手段
をさらに備え、
前記表示制御手段は、
前記拡大率判定手段によって判定された前記拡大率が所定の拡大率未満である場合に、前記正常な映像ソースの表示サイズを変更し、前記拡大率判定手段によって判定された前記拡大率が所定の拡大率以上である場合に、前記正常な映像ソースの前記表示サイズを変更しないことを特徴とする請求項１に記載の映像表示装置。
【請求項３】
前記表示領域の大きさを判定する領域面積判定手段
をさらに備え、
前記表示制御手段は、
前記領域面積判定手段によって判定された前記大きさが最小の前記表示領域に対して入力される前記映像ソースについては前記表示サイズを変更しないことを特徴とする請求項１または２に記載の映像表示装置。
【請求項４】
前記表示制御手段は、
前記映像ソースごとに設定された優先順位が高い前記正常な映像ソースを優先して表示することを特徴とする請求項１〜３のいずれか一つに記載の映像表示装置。
【請求項５】
前記表示制御手段は、
前記映像ソースごとに表示された表示頻度を学習し、学習された前記表示頻度が高い前記正常な映像ソースを優先して表示することを特徴とする請求項１〜４のいずれか一つに記載の映像表示装置。
【請求項６】
車両に搭載される前記映像表示装置は、
自車両が走行中であるか否かの車両情報を取得する車両情報取得手段
をさらに備え、
前記表示制御手段は、
前記車両情報取得手段によって取得された前記車両情報が走行中の場合、表示の移動をしないことを特徴とする請求項１〜５のいずれか一つに記載の映像表示装置。
【発明の詳細な説明】
【技術分野】
【０００１】
この発明は、ディスプレイに映像を表示する映像表示装置に関し、無駄な表示領域を有効活用するとともに利用者にとって見易い画面を表示することができる映像表示装置に関する。
【背景技術】
【０００２】
従来、入力された複数種類の映像ソース、たとえば、ＤＴＶ（Digital  Television）とカメラ映像とを合成し、また、表示レイアウトを変更して表示する映像表示システムが知られている。
【０００３】
たとえば、特許文献１には、かかる映像ソースごとの入力端子の挿抜を検知し、検知した入力端子からの映像信号に基づいて映像ソースの表示レイアウトを変更して画面に表示する映像表示システムが開示されている。
【０００４】
具体的には、特許文献１の映像表示システムでは、２つの映像ソースが画面に表示されていた場合に、片方の入力端子が抜き取られたならば、もう一方の入力端子に対応する映像ソースのみを画面全体に表示するよう表示レイアウトを切り換える。
【０００５】
また、特許文献２には、車両に搭載される映像表示装置に適用した場合、着座センサによって検知された視聴者の位置に基づいて映像ソースの表示レイアウトを変更して画面に表示する映像表示装置が開示されている。
【先行技術文献】
【特許文献】
【０００６】
【特許文献１】特開２００５−２５２５２８号公報
【特許文献２】特開２００７−２５６５４１号公報
【発明の概要】
【発明が解決しようとする課題】
【０００７】
しかしながら、従来の映像表示システムは、入力端子の挿抜によって映像ソースの切替えを行っていたので、入力端子が装填された状態で何らかの異常が発生した場合には、画面の表示レイアウトの切り替えが行われないという問題があった。
【０００８】
たとえば、従来の映像表示システムでは、入力端子が装填された状態で映像ソースの信号が受信できなくなった場合に、かかる映像ソースが表示されていた領域は何も表示されない状態となってしまう。
【０００９】
これらのことから、映像ソースの入力信号が異常な場合であっても、無駄な表示領域を有効活用するとともに利用者にとって見易い画面を表示することができる映像表示装置をいかにして実現するかが大きな課題となっている。
【００１０】
この発明は、上述した従来技術による問題点を解消するためになされたものであり、映像ソースの入力信号が異常な場合であっても、無駄な表示領域を有効活用するとともに利用者にとって見易い画面を表示することができる映像表示装置を提供することを目的とする。
【課題を解決するための手段】
【００１１】
上述した課題を解決し、目的を達成するため、本発明は、ディスプレイの表示領域に複数の映像ソースを表示する映像表示装置であって、前記ディスプレイの複数の表示領域に対してそれぞれ入力される映像ソースを取得する映像ソース取得手段と、前記映像ソース取得手段によって取得された前記映像ソースに含まれる信号の異常を検知する異常検知手段と、前記異常検知手段によって前記複数の映像ソースのうち少なくとも一つの前記映像ソースの異常が検知されたならば、正常な前記映像ソースの前記表示領域を移動させて表示する表示制御手段とを備えたことを特徴とする。
【発明の効果】
【００１２】
本発明によれば、ディスプレイの表示領域に複数の映像ソースを表示する映像表示装置であって、ディスプレイの複数の表示領域に対してそれぞれ入力される映像ソースを映像表示装置が取得し、取得された映像ソースに含まれる信号の異常を映像表示装置が検知し、複数の映像ソースのうち少なくとも一つの映像ソースの異常が検知されたならば、映像表示装置が正常な映像ソースの表示領域を移動させて表示することとしたので、映像ソースの入力信号が異常な場合であっても、無駄な表示領域を有効活用するとともに利用者にとって見易い画面を表示することができるという効果を奏する。
【図面の簡単な説明】
【００１３】
【図１】図１は、本実施例に係る映像表示装置の概要を示す図である。
【図２】図２は、本実施例に係る映像表示装置の構成を示すブロック図である。
【図３】図３は、車両情報構成部における車両情報再構成処理を説明するための図である。
【図４】図４は、車両情報再構成の一例を示す図である。
【図５】図５は、優先順位情報の一例を示す図である。
【図６】図６は、再合成画面の一例を示す図である。
【図７】図７は、確認画面の一例を示す図である。
【図８】図８は、映像表示装置が実行する映像合成処理手順の概要を示すフローチャートその１である。
【図９】図９は、映像表示装置が実行する映像合成処理手順の概要を示すフローチャートその２である。
【図１０】図１０は、映像表示装置が実行する映像合成処理手順の概要を示すフローチャートその３である。
【図１１】図１１は、映像表示装置が実行する映像合成処理手順の概要を示すフローチャートその４である。
【図１２】図１２は、変形例に係る映像表示装置の構成を示すブロック図である。
【発明を実施するための形態】
【実施例】
【００１４】
以下に添付図面を参照して、本発明に係る映像表示装置の好適な実施例を詳細に説明する。なお、以下では、本発明に係る映像表示装置の概要について図１を用いて説明した後に、本発明に係る映像表示装置についての実施例を図２〜図７を用いて説明することとする。
【００１５】
まず、本発明に係る映像表示装置の概要について図１を用いて説明する。図１は、本発明に係る映像表示装置の概要を示す図である。なお、本実施例では、映像表示装置を車両に搭載されるディスプレイに適用する場合について説明するが、パソコンのディスプレイおよびＴＶ等の映像表示装置についても適用することができる。
【００１６】
図１の（Ａ）に示すように、二つの映像ソースを合成してディスプレイへ表示する場合について説明する。画面上方には、自車両に搭載されたセンサによって検知された自車両内の温度やエアコン（空気調節装置）の設定温度等の車両情報が表示されている。また、画面下方には、車載カメラによって撮像された車両近傍のカメラ映像が表示されている。
【００１７】
ここで、車載カメラに何らかの異常が発生した場合に、本発明に係る映像表示装置はカメラ映像の入力信号を受信することができなくなるため、画面下方の表示領域には何も表示されない状態（以下、「黒画」と記載する）となる。このため、黒画の部分領域が無駄な領域となってしまう。
【００１８】
そこで、本発明に係る映像表示装置では、正常である車両情報の映像ソースを、黒画となっていた部分領域も含んだ画面へ表示レイアウトを再構成して表示する。たとえば、図１の（Ｂ）に示したように、本発明に係る映像表示装置では、車両情報の映像ソースを、画面中央部へ移動させて表示することとした。
【００１９】
なお、本発明に係る映像表示装置では、利用者にとって最適な大きさとなるように、表示領域のサイズを調整し、ドライバーが見易い大きさに拡大するよう表示レイアウトを再構成して表示してもよい。
【００２０】
また、本発明に係る映像表示装置では、黒画となってしまった部分領域へ他の映像ソース、たとえば、地図映像やＤＴＶ映像を表示することとしてもよい。他の映像ソースの選択手法として、予め設定された映像ソースごとの優先順位によって選択してもよいし、ディスプレイへ表示される頻度を本発明に係る映像表示装置が学習し、学習した頻度によって選択することとしてもよい。なお、映像ソースの再構成処理、優先順位および頻度による映像ソースの選択手法の詳細については後述することとする。
【００２１】
このようにすることによって、本発明に係る映像表示装置では、映像ソースの入力信号が異常な場合であっても、無駄な表示領域を有効活用するとともにドライバーにとって見易い画面を表示することができる。
【００２２】
以下では、図１を用いて説明した本発明に係る映像表示装置１０についての実施例を詳細に説明する。まず、本実施例に係る映像表示装置１０の構成について図２を用いて説明する。
【００２３】
図２は、本実施例に係る映像表示装置１０の構成を示すブロック図である。なお、図２では、映像表示装置１０の特徴点を説明するために必要な構成要素についてのみ記載している。
【００２４】
図２に示すように、映像表示装置１０は、通信Ｉ／Ｆ（インターフェース）１１と、センサ１２と、カメラ１３と、ＤＴＶ（Digital  Television）１４と、操作部１５と、ディスプレイ１６と、記憶部１７と、制御部１８とを備えている。
【００２５】
また、制御部１８は、車両情報取得部１８ａと、車両情報構成部１８ｂと、映像ソース取得部１８ｃと、異常検知部１８ｄと、映像合成部１８ｅとをさらに備えており、記憶部１７は、閾値情報１７ａと、優先順位情報１７ｂと、頻度情報１７ｃとを記憶する。
【００２６】
通信Ｉ／Ｆ１１は、センサ１２やカメラ１３と制御部１８との間で通信データまたは映像ソースの送受信を行う通信デバイスで構成されている。たとえば、通信Ｉ／Ｆ１１は、センサ１２によって検知された車両内の温度やエアコンの設定温度等の車両情報を車両情報取得部１８ａへ送信する。
【００２７】
また、通信Ｉ／Ｆ１１は、無線電波等を送受信する図示しないアンテナに接続されており、無線通信を行うための通信デバイスで構成され、情報提供装置あるいはＧＰＳ（Global  Positioning  System）衛星と映像表示装置１０との間で、光または電波によってデータの送受信を行う。
【００２８】
なお、情報提供装置とは、道路上に複数設置されおり、ＤＳＲＣ（Dedicated  Short  Range  Communication）に対応した無線機や光ビーコン等の無線機を備えている。また、情報提供装置は、映像表示装置１０との双方向通信により、ドライバーに対してリアルタイムに交通情報等を提供する装置のことである。
【００２９】
センサ１２は、車両内の温度、気圧、車両向き、および、エアコンの設定温度等、種々の車両に関する情報（以下、「車両情報」と記載する）を検知する計測機器である。カメラ１３は、車両に搭載されたカメラであり、たとえば、ドライバーの死角となる車両後方の映像を撮像し、撮像した映像ソースを映像ソース取得部１８ｃへ送信する。
【００３０】
ＤＴＶ１４は、図示しないアンテナを介して受信するデジタルテレビ放送の映像ソースのことであり、かかる映像ソースを通信Ｉ／Ｆ１１を介して映像ソース取得部１８ｃへ送信する。
【００３１】
操作部１５は、カメラ１３やＤＴＶ１４等、複数の映像ソースの中からディスプレイ１６へ表示させる映像ソースの選択操作や、映像合成部１８ｅによって合成された映像ソースの表示確認に対して承認の操作を受け付ける。
【００３２】
ディスプレイ１６は、映像合成部１８ｅによって合成された映像ソースを表示する表示部である。なお、操作部１５およびディスプレイ１６の表示や操作を行う構成部品を限定する必要はない。したがって、指やポインティングデバイスなどの押圧感知により入力を受け付け、かつ表示出力も兼ねるタッチパネル式の液晶ディスプレイなどを用いることとしてもよい。
【００３３】
また、ＨＵＤ（Head-Up  Display）等のディスプレイによってドライバー前方のフロントガラス部分に半透明状に構成してもよいし、ドライバー前方の計器部分に構成してもよいし、また、ドライバー前方のルームミラー部分に構成してもよい。
【００３４】
記憶部１７は、不揮発性メモリやハードディスクドライブといった記憶デバイスで構成される記憶部である。この記憶部１７は、映像合成部１８ｅが映像ソースを合成する際に使用する映像ソースの拡大率と比較する閾値を閾値情報１７ａとして記憶する。
【００３５】
また、記憶部１７は、映像合成部１８ｅが映像ソースの選択をする際に使用する映像ソースの優先度を予め優先順位情報１７ｂとして記憶し、ディスプレイ１６へ表示される映像ソースの表示頻度を映像ソースごとに頻度情報１７ｃとして記憶する。なお、優先順位情報１７ｂの詳細については後述することとする。
【００３６】
制御部１８は、映像表示装置１０の全体制御を行う制御部である。車両情報取得部１８ａは、センサ１２によって検知された車両内の温度やエアコンの設定温度等の車両情報を取得する。
【００３７】
また、車両情報取得部１８ａは、ＧＰＳから受信した情報による自車両の位置情報や情報提供装置からの渋滞情報等の各種交通情報を取得する。なお、車両情報取得部１８ａは、取得した車両情報を車両情報構成部１８ｂへ渡す処理を併せて行う。
【００３８】
さらに、車両情報取得部１８ａは、車両に搭載された速度計から自車両の走行速度を取得し、走行中であるか、または、停車中であるかを映像合成部１８ｅへ送信する処理を併せて行う。
【００３９】
車両情報構成部１８ｂは、車両情報取得部１８ａから受け付けた車両情報をディスプレイ１６の所定の部分領域へ表示するように、表示位置と表示サイズとを含む画面レイアウトを構成してする処理を行う処理部である。また、車両情報構成部１８ｂは、構成した車両情報の映像ソースを映像ソース取得部１８ｃへ渡す処理を併せて行う。
【００４０】
また、車両情報構成部１８ｂは、異常検知部１８ｄから映像ソースの入力信号が異常であると通知された場合に、車両情報を再構成する。具体的には、映像ソースの入力信号が異常であった場合、かかる映像ソースの表示領域は黒画、青画等の入力無し状態の色となり、無駄な領域となってしまう。
【００４１】
そこで、車両情報構成部１８ｂでは、正常である車両情報の映像ソースを、黒画となっていた部分領域も含んだ画面へ拡大したり、ドライバーに対して見易い位置に移動したりと表示レイアウトを再構成して、映像ソース取得部１８ｃへ渡すこととした。なお、車両情報再構成処理の詳細については後述することとする。
【００４２】
映像ソース取得部１８ｃは、車両情報構成部１８ｂによって構成された車両情報の映像ソース、カメラ１３やＤＴＶ１４等の映像ソースを取得する。また、映像ソース取得部１８ｃは、映像表示装置１０がカーナビゲーション機能（以下、「カーナビ」と記載する）を有する場合には、地図映像、ナビゲーション情報（以下、「ナビ情報」と記載する）を取得する。
【００４３】
異常検知部１８ｄは、映像ソース取得部１８ｃが取得した映像ソースの入力信号の異常を検知する処理を行う処理部である。たとえば、異常検知部１８ｄは、受信した映像ソースの入力信号に含まれる水平／垂直同期信号のタイミングのずれや欠損を検知することによって映像ソースの入力信号が異常であると判定する。
【００４４】
また、異常検知部１８ｄは、いずれかの映像ソースの入力信号の異常を検知した場合に、車両情報構成部１８ｂおよび映像合成部１８ｅへ通知する処理を併せて行う。
【００４５】
映像合成部１８ｅは、異常検知部１８ｄによって検知された入力信号の異常を受け付けた場合に、映像ソースを再合成し、再合成した映像をディスプレイ１６へ表示するか否かの確認メッセージを報知する。そして、映像合成部１８ｅは、再合成した映像の表示承認の操作を操作部１５から受け付けたならば、領域面積判定処理および／または拡大率判定処理によって再合成された映像をディスプレイ１６へ表示する。
【００４６】
具体的には、領域面積判定処理は、映像合成部１８ｅが、移動元の映像ソースの表示領域の面積が複数の表示領域のうち、最小である場合に、車両情報構成部１８ｂによって再構成された車両情報の映像を拡大表示しないこととする。なお、映像合成部１８ｅは、かかる面積が最小である場合に拡大表示しないこととしたが、かかる面積が所定の閾値を超えない場合に、拡大表示しないこととしてもよい。
【００４７】
また、拡大率判定処理は、映像合成部１８ｅが、車両情報構成部１８ｂによって再構成された車両情報の映像を拡大した場合の拡大率と閾値情報１７ａの閾値とを比較して、かかる拡大率が閾値を超えた場合に、ドライバーにとって見難い大きさであると判定し、拡大表示しないこととする。一方、映像合成部１８ｅは、かかる拡大率が閾値を超えない場合には、かかる拡大率へ車両情報の映像を拡大して表示することとする。
【００４８】
映像合成部１８ｅでは、拡大率と閾値とを比較する際、縦と横とを別々に比較して判定する。具体的には、横の拡大率は横用の閾値Ａを超えず、縦の拡大率が縦用の閾値Ｂを超えた場合には、横幅のみを拡大する。なお、縦横の拡大率の合成によって比較することとしてもよい。たとえば、映像合成部１８ｅは、縦横それぞれの割合で拡大した際の面積比を拡大率として、拡大表示するか否かを判定してもよい。
【００４９】
また、映像合成部１８ｅは、黒画となった部分領域へ他の映像ソースを表示する場合には、優先順位情報１７ｂおよび頻度情報１７ｃに基づいて表示する映像ソースを選択し、映像ソースを合成する。その際、映像合成部１８ｅは、選択された映像ソースに対応する頻度情報１７ｃの表示頻度を更新する処理を併せて行う。
【００５０】
このようにして、映像合成部１８ｅは、映像ソースを再合成し、車両情報取得部１８ａから自車両が走行中であるか否かを取得し、停車中であった場合に、再合成した映像をディスプレイ１６へ表示するか否かの確認メッセージを報知する。
【００５１】
一方、映像合成部１８ｅは、自車両が走行中であった場合には、ドライバーが承認操作を行うのは危険であるとみなし、確認メッセージを報知せず待機し、車両情報取得部１８ａから自車両が停車したことを受け付けたならば、確認メッセージを報知する。
【００５２】
つぎに、車両情報構成部１８ｂが実行する車両情報再構成処理の詳細について図３および図４を用いて説明する。図３は、車両情報構成部１８ｂにおける車両情報再構成処理を説明するための図であり、図４は、車両情報再構成の一例を示す図である。
【００５３】
まず、図３の（Ａ）に示したように、車両情報構成部１８ｂによって車両情報の表示領域には、３種類の車両情報Ａ，Ｂ，Ｃが横一列となるように構成されており、車両情報の下方には、図示しない他の映像ソースが表示されていたとする。
【００５４】
ここで、異常検知部１８ｄによって他の映像ソースの入力信号が異常であると検知された場合には、画面下方の表示領域は黒画となってしまい、無駄な領域となる。したがって、車両情報構成部１８ｂは、車両情報の映像ソースを、黒画となっていた部分領域も含んだ画面へ表示レイアウトを再構成する。
【００５５】
たとえば、図３の（Ｂ）に示したように、車両情報構成部１８ｂは、上段に車両情報Ａと車両情報Ｂとを並べ、下段には、車両情報Ｃを縦横共に拡大して表示されるように再構成した。
【００５６】
つづいて、図４の（Ａ）に示したように、車両内の温度とエアコンの設定状態との２種類の車両情報が横一列に構成されていた場合、車両情報構成部１８ｂは、図４の（Ｂ）に示したように、温度の表示部分が縦に並ぶように、車両情報を再構成した。このように、車両情報構成部１８ｂが、車両情報を再構成することによって、ドライバーにとって、見易く最適な画面表示を実現することができる。
【００５７】
つぎに、優先順位情報１７ｂの詳細について図５および図６を用いて説明する。図５は、優先順位情報１７ｂの一例を示す図であり、図６は、再合成画面の一例を示す図である。
【００５８】
図５に示すように、優先順位情報１７ｂは、「映像ソース種別」項目と、「走行中」の「優先順位」項目と、「停車中」の「優先順位」項目とを含んでいる。「映像ソース種別」項目は、映像ソースの種別であり、予め優先順位情報１７ｂには、映像ソースごと、また、車両の状態ごとにディスプレイ１６へ表示する優先順位が設定されている。
【００５９】
そして、黒画となった部分領域へ他の映像ソースを表示する場合には、映像合成部１８ｅでは、優先順位情報１７ｂに基づいて表示する映像ソースを選択し、映像ソースを再合成する。
【００６０】
たとえば、ディスプレイ１６へ表示する映像ソースが、利用者の選択操作によって車両情報とカメラ１３とが選択され、車両情報およびカメラ１３の映像がディスプレイ１６へ表示されていたとする。ここで、優先順位が２であるカメラ１３の映像ソースの入力信号が異常となり、カメラ１３の映像ソースが表示されていた領域へ他の映像ソースを表示する場合について説明する。
【００６１】
この場合、図５に示すように、優先順位情報１７ｂには、走行中であれば、地図の優先順位が３（図５の３行目参照）、停車中であれば、ＤＴＶの優先順位が３（図５の４行目参照）と設定されている。
【００６２】
したがって、映像合成部１８ｅは、車両情報取得部１８ａから取得した自車両の状態が走行中であった場合は、図６の（Ａ）に示したように、車両情報の左方へ地図の映像ソースを再合成する。
【００６３】
また、映像合成部１８ｅは、車両情報取得部１８ａから取得した自車両の状態が停車中であった場合は、図６の（Ｂ）に示したように、車両情報の左方へ地図の映像ソースを再合成する。
【００６４】
なお、「優先順位」項目には、車両の状態が走行中の場合と、停車中の場合とに分けて、優先順位が設定されているものとしたが、車両の状態ごとに優先順位が設定されていなくてもよいこととする。
【００６５】
また、映像合成部１８ｅは、優先順位情報１７ｂに基づいて映像ソースを再合成するよう説明したが、映像ソースごとに記憶される頻度情報１７ｃを加味して、再合成する映像ソースを選択することとしてもよい。
【００６６】
つぎに、映像合成部１８ｅが報知する確認画面について図７を用いて説明する。図７は、確認画面の一例を示す図である。
【００６７】
図７に示したように、映像合成部１８ｅは、自車両が停車中であった場合に、再合成した映像をディスプレイ１６へ表示するか否かの確認メッセージを、黒画となった表示領域へ報知する。その後、映像合成部１８ｅは、表示承認の操作を受け付けたならば、再合成した映像をディスプレイ１６へ表示することとなる。
【００６８】
また、映像合成部１８ｅは、自車両が走行中であった場合には、ドライバーが承認操作を行うのは危険であるとみなし、確認メッセージを報知せず待機し、車両情報取得部１８ａから自車両が停車したことを受け付けたならば、確認メッセージを報知する。
【００６９】
つぎに、本実施例に係る映像表示装置１０が実行する映像合成処理手順の詳細について図８〜図１１を用いて説明する。図８〜図１１は、映像表示装置１０が実行する映像合成処理手順の概要を示すフローチャートその１〜その４である。
【００７０】
まず、図８および図９では、正常である車両情報の映像ソースを、黒画となった部分領域も含んだ画面へ表示レイアウトを再構成して表示する場合について説明する。つづいて、図１０および図１１では、複数の映像ソースが合成されて表示されていた際、いずれかの映像ソースが異常となり、黒画となった部分領域へ他の映像ソースを表示する場合について説明する。
【００７１】
図８に示すように、車両情報取得部１８ａは、通信Ｉ／Ｆ１１経由で車両情報を取得したならば（ステップＳ１０１）、車両情報構成部１８ｂは、車両情報の表示レイアウトの構成を行う（ステップＳ１０２）。
【００７２】
そして、映像ソース取得部１８ｃは、車両情報構成部１８ｂによって構成された車両情報の映像ソースと、カメラ１３やＤＴＶ１４からの映像ソースとを取得して（ステップＳ１０３）、異常検知部１８ｄは、映像ソースの入力信号が異常であるか否かを検知する（ステップＳ１０４）。
【００７３】
異常検知部１８ｄは、いずれかの映像ソースの入力信号の異常を検知した場合に（ステップＳ１０４，Ｙｅｓ）、車両情報構成部１８ｂでは、車両情報の表示レイアウトの再構成を行う（ステップＳ１０５）。
【００７４】
そして、映像合成部１８ｅは、再構成された車両情報の映像ソースを取得し（ステップＳ１０６）、映像ソースを拡大した場合の拡大率と、閾値情報１７ａの閾値とを比較する（ステップＳ１０７）。
【００７５】
映像合成部１８ｅは、拡大率が閾値を超えない場合に（ステップＳ１０８，Ｙｅｓ）、ドライバーにとって見易い画面であると判定し、映像ソースを拡大することによって（ステップＳ１０９）、表示する映像を再合成する。
【００７６】
その後、図９に示すように、映像合成部１８ｅは、車両情報取得部１８ａから自車両が走行中であるか否かの車両情報を取得し（ステップＳ１１０）、自車両が停車中であった場合に（ステップＳ１１１，Ｙｅｓ）、再合成した映像をディスプレイ１６へ表示する旨の確認メッセージを報知する（ステップＳ１１２）。一方、映像合成部１８ｅは、自車両が走行中であった場合には（ステップＳ１１１，Ｎｏ）、停車中となるまで、ステップＳ１１０へ処理を移行する。
【００７７】
ステップＳ１１２で報知された確認メッセージに対して、映像合成部１８ｅは、再合成した映像の表示承認の操作を操作部１５から受け付けたならば（ステップＳ１１３，Ｙｅｓ）、車両情報に対応する頻度情報１７ｃの表示頻度を更新する（ステップＳ１１４）。
【００７８】
そして、映像合成部１８ｅは、再合成した車両情報の映像をディスプレイ１６へ表示して（ステップＳ１１５）、映像表示装置１０が実行する一連の映像合成処理を終了する。
【００７９】
一方、異常検知部１８ｄは、すべての映像ソースの入力信号が正常であると検知した場合に（ステップＳ１０４，Ｎｏ）、映像ソース取得部１８ｃで取得した映像ソースに対応する頻度情報１７ｃの表示頻度を更新し（ステップＳ１１６）、合成画面を表示して（ステップＳ１１７）、一連の映像合成処理を終了する。
【００８０】
つづいて、複数の映像ソースが合成され、ディスプレイへ表示されていた際、いずれかの映像ソースが異常となり、黒画となった部分領域へ他の映像ソースを表示する場合について図１０および図１１を用いて説明する。
【００８１】
なお、図１０のステップＳ２０１〜ステップＳ２０４の処理は、図８で説明したステップＳ１０１〜ステップＳ１０４と処理内容が同様であるので説明を省略し、ステップＳ２０４の説明へ移行する。
【００８２】
ステップＳ２０４で、映像合成部１８ｅは、いずれかの映像ソースの入力信号が異常であると検知した場合に（ステップＳ２０４，Ｙｅｓ）、優先順位情報１７ｂおよび頻度情報１７ｃを取得する（ステップＳ２０５）。
【００８３】
そして、映像合成部１８ｅは、優先順位情報１７ｂと頻度情報１７ｃとに基づいて黒画となった部分領域へ表示する映像ソースの選択を行い（ステップＳ２０６）、表示する映像を再合成する。
【００８４】
以降、ステップＳ２０７〜ステップＳ２１１の処理は、図９で説明したステップＳ１１０〜ステップＳ１１４と処理内容が同様であるので説明を省略し、ステップＳ２１２の説明へ移行する。映像合成部１８ｅは、再合成した画面をディスプレイ１６へ表示して（ステップＳ２１２）、映像表示装置１０が実行する一連の映像合成処理を終了する。
【００８５】
一方、異常検知部１８ｄは、すべての映像ソースの入力信号が正常であると検知した場合には（ステップＳ２０４，Ｎｏ）、図９での説明と同様に、映像ソース取得部１８ｃで取得した映像ソースに対応する頻度情報１７ｃの表示頻度を更新し（ステップＳ２１３）、合成画面を表示して（ステップＳ２１４）、一連の映像合成処理を終了する。
【００８６】
このように、ディスプレイ１６に映像を表示する映像表示装置１０は、ディスプレイ１６に表示する一または複数の映像情報である映像ソースを取得し、取得された映像ソースに含まれる信号の異常を検知したならば、信号の異常が検知された映像ソースを表示していた部分領域を含む表示領域へ一または複数の正常な映像ソースをディスプレイ１６へ表示するように構成したので、映像ソースの入力信号が異常な場合であっても、無駄な表示領域を有効活用するとともに利用者にとって見易い画面を表示することができる
【００８７】
なお、上述した実施例では、映像表示装置１０内に、一つの制御部１８を備え、制御部１８では、車両情報やその他の映像ソースを取得し、入力信号の異常を検知したならば、映像を再合成することとした。しかし、上記した構成以外にも、種々の異なる映像表示装置１０の構成にて実施されてよいものである。
【００８８】
以下では、変形例に係る映像表示装置１００の構成について図１２を用いて説明する。図１２は、変形例に係る映像表示装置１００の構成を示すブロック図である。なお、図２で説明した際の構成要素と同様の機能を有するブロックについては、図２と同じ符号を付与した。
【００８９】
図１２に示すように、映像表示装置１００は、通信Ｉ／Ｆ１１ａと、通信Ｉ／Ｆ１１ｂと、センサ１２と、カメラ１３と、ＤＴＶ１４と、操作部１５と、ディスプレイ１６と、ＣＰＵ（Central  Processing  Unit）２０と、ＡＳＩＣ（Application  Specific  Integrated  Circuit）３０とを備えている。
【００９０】
ＣＰＵ２０は、各装置の制御やデータの計算・加工を行なう中央処理装置であり、ＣＰＵ２０にマイクロプロセッサを採用したマイコンであってもよい。ＣＰＵ２０の制御部２１は、車両情報取得部１８ａと、車両情報構成部１８ｂとをさらに備えており、センサ１２からの車両情報を取得し、車両情報の表示レイアウトの構成を行うこととする。
【００９１】
ＡＳＩＣ３０は、特定の用途向けに複数機能の回路を一つにまとめた集積回路である。ＡＳＩＣ３０の制御部３１は、映像ソース取得部１８ｃと、異常検知部１８ｄと、映像合成部１８ｅとをさらに備えており、映像ソースを取得し、いずれかの映像ソースの入力信号が異常であると検知した場合に、映像を再合成してディスプレイ１６へ合成画面を表示することとする。
【００９２】
このように、変形例に係る映像表示装置１００では、ＣＰＵ２０が車両情報に基づいて表示レイアウトの構成を行い、構成された車両情報の映像を通信Ｉ／Ｆ１１ａを介してＡＳＩＣ３０へ送信する。一方、ＡＳＩＣ３０では、通信Ｉ／Ｆ１１ｂ経由でＣＰＵ２０から受信した車両情報の映像と他の映像ソースとを合成してディスプレイ１６へ表示することにした。
【００９３】
なお、ＡＳＩＣ３０は、ＣＰＵ２０のような他の半導体集積回路と比較して、実装面積が極小であり消費電量が少ない上に、製造単価が安価である。したがって、変形例に係る映像表示装置１００では、ＡＳＩＣ３０へ処理を分散し、ＣＰＵ２０への負荷を低減することによって、製造コストを抑止するとともに表示処理速度を速めることができる。
【００９４】
なお、上述した実施例では、映像表示装置１０、１００を車両に搭載されるカーナビに適用する例を説明したが、パソコンのディスプレイおよびＴＶ等の映像表示装置についても同様に適用することができる。
【００９５】
また、上述した実施例では、映像表示装置１０、１００は、センサ１２からの、車両内の温度、気圧、車両向き、および、エアコンの設定温度等、種々の車両に関する情報を車両情報として取得して、取得した車両情報を構成し、構成した映像を表示するように説明した。
【００９６】
しかし、映像表示装置１０、１００は、情報提供装置から受信した道路情報や交通情報に基づいて表示する映像を構成してもよいし、車両情報は上述した項目だけに限定されるものではない。
【００９７】
たとえば、映像表示装置１０、１００は、車両速度、エンジンの回転速度、水温、油温、電圧および走行距離を車両情報として表示するよう構成してもよいし、ハザードランプ、シフトランプ、ハイビーム、ウインカー等の状態を車両情報として表示するよう構成してもよい。
【符号の説明】
【００９８】
１０    映像表示装置
１００  映像表示装置
１１    通信Ｉ／Ｆ
１１ａ  通信Ｉ／Ｆ
１１ｂ  通信Ｉ／Ｆ
１２    センサ
１３    カメラ
１４    ＤＴＶ
１５    操作部
１７    記憶部
１７ａ  閾値情報
１７ｂ  優先順位情報
１７ｃ  頻度情報
１８    制御部
１８ａ  車両情報取得部
１８ｂ  車両情報構成部
１８ｃ  映像ソース取得部
１８ｄ  異常検知部
１８ｅ  映像合成部
２０    ＣＰＵ
２１    制御部
３０    ＡＳＩＣ
３１    制御部
【図１】
2012073395.tif 000003
【図２】
2012073395.tif 000004
【図３】
2012073395.tif 000005
【図４】
2012073395.tif 000006
【図５】
2012073395.tif 000007
【図６】
2012073395.tif 000008
【図７】
2012073395.tif 000009
【図８】
2012073395.tif 000010
【図９】
2012073395.tif 000011
【図１０】
2012073395.tif 000012
【図１１】
2012073395.tif 000013
【図１２】
2012073395.tif 000014